(57)【要約】【課題】体裁を向上させた上で、締結部材の被操作端部への不適切なアクセスを抑制できる背凭れ及び椅子を提供する。【解決手段】本発明の一態様に係る背凭れ４は、背凭れ本体と、背凭れ本体における左右方向の少なくとも第１側に設けられた肘掛け支持部材３２と、肘掛け支持部材３２に対して上下方向に移動可能に、肘掛け支持部材３２に支持された肘掛け３３と、を備えている。肘掛け支持部材３２には、背凭れ本体と肘掛け支持部材３２とを締結するボルト８０が肘掛け支持部材３２に対して左右方向の外側から挿通されるボルト挿通孔７１が形成されている。肘掛け支持部材３２に対する肘掛け３３の上下方向における移動範囲は、移動範囲の全域に亘って左右方向から見た側面視でボルト８０を覆う位置に設定されている。【選択図】図１６
2020069337.tif 000002
【特許請求の範囲】
【請求項１】
背凭れ本体と、
前記背凭れ本体における左右方向の少なくとも第１側に設けられた肘掛け支持部材と、
前記肘掛け支持部材に対して上下方向に移動可能に、前記肘掛け支持部材に支持された肘掛けと、を備え、
前記肘掛け支持部材には、前記背凭れ本体と前記肘掛け支持部材とを締結する締結部材が前記肘掛け支持部材に対して左右方向の外側から挿通される挿通孔が形成され、
前記肘掛け支持部材に対する前記肘掛けの上下方向における移動範囲は、前記移動範囲の全域に亘って左右方向から見た側面視で前記締結部材を覆う位置に設定されている背凭れ。
【請求項２】
前記肘掛け支持部材は、
左右方向の外側を向く外側面上で前記挿通孔が開口するベース部と、
前記ベース部に対して左右方向の外側に配設された支持部材側係合部と、を備え、
前記肘掛けは、
前記肘掛け支持部材に対して上下方向に移動可能に、前記支持部材側係合部に係合される肘掛け側係合部と、
前記肘掛け側係合部に対して左右方向の外側に位置するとともに、肘乗せ部を下方から支持する肘掛けベースと、を備え、
前記締結部材は、前記肘掛けベースによって左右方向の外側から覆われている請求項１に記載の背凭れ。
【請求項３】
前記支持部材側係合部及び前記肘掛け側係合部のうち、第１係合部は、上下方向に延びるとともに、開口部の幅が底部の幅よりも狭い蟻溝状に形成され、
前記支持部材側係合部及び前記肘掛け側係合部のうち、第２係合部は、前記第１係合部に前後方向及び左右方向で係合している請求項２に記載の背凭れ。
【請求項４】
前記肘掛け支持部材は、前記ベース部及び前記支持部材側係合部とは別体で設けられるとともに、前記支持部材側係合部に対して左右方向の内側で、前記締結部材を左右方向の外側から覆う遮蔽部材を備えている請求項２又は請求項３に記載の背凭れ。
【請求項５】
前記遮蔽部材には、
上下方向に延びる連通溝と、
前記連通溝から前後方向に延びるとともに、上下方向に間隔をあけて形成された複数の係合溝と、が形成され、
前記肘掛けは、前記係合溝内に位置するロック位置と、前記係合溝から退避して前記連通溝に位置する退避位置と、の間を移動する係合ピンを備えている請求項４に記載の背凭れ。
【請求項６】
前記係合溝は、前記連通溝に対して前後方向の第１側に位置し、
前記遮蔽部材には、前記連通溝内に連通するとともに、前後方向の第２側に延びる組付溝が形成され、
前記係合ピンは、前記退避位置に対して前後方向の前記第２側に位置する組付位置に移動可能である請求項５に記載の背凭れ。
【請求項７】
請求項１から請求項６の何れか１項に記載の背凭れを備えている椅子。
【発明の詳細な説明】
【技術分野】
【０００１】
本発明は、背凭れ及び椅子に関する。
【背景技術】
【０００２】
椅子の背凭れとして、着座者の腰部や背部等を後方から支持する背凭れ本体と、背凭れ本体に対して左右両側に取り付けられ、着座者の肘を下方から支持する肘掛けと、を備えた構成が知られている。
【０００３】
下記特許文献１には、肘掛けが背凭れ本体に対して上下動可能（昇降可能）に取り付けられた構成が開示されている。下記特許文献１発明において、背凭れ本体は、面材が架け渡される背凭れフレームと、背凭れフレームに対して左右両側に設けられ、肘掛けを上下動可能に支持するブラケットと、を備えている。下記特許文献１発明では、肘掛けに設けられたレバーが、ブラケットに設けられた複数の歯に選択的に係合する。これにより、背凭れ本体に対する肘掛けの上下位置が調整できると考えられる。
【先行技術文献】
【特許文献】
【０００４】
【特許文献１】国際公開第２００９／０６０６８０号
【発明の概要】
【発明が解決しようとする課題】
【０００５】
上述した特許文献１発明の構成において、ブラケットは、背凭れフレームに対して左右方向の内側からボルト（締結部材）が螺着されることで、背凭れフレームに取り付けられる。そのため、特許文献１発明の構成では、背凭れフレームの内側面上でボルトの頭部（被操作端部）が露呈する可能性がある。この場合には、例えば第三者によるボルトの頭部への不適切なアクセスが可能になるとともに、椅子の体裁が低下する等のおそれがある。
【０００６】
本発明は、体裁を向上させた上で、締結部材の被操作端部への不適切なアクセスを抑制できる背凭れ及び椅子を提供することを目的とする。
【課題を解決するための手段】
【０００７】
上記目的を達成するために、本発明の一態様に係る背凭れは、背凭れ本体と、前記背凭れ本体における左右方向の少なくとも第１側に設けられた肘掛け支持部材と、前記肘掛け支持部材に対して上下方向に移動可能に、前記肘掛け支持部材に支持された肘掛けと、を備え、前記肘掛け支持部材には、前記背凭れ本体と前記肘掛け支持部材とを締結する締結部材が前記肘掛け支持部材に対して左右方向の外側から挿通される挿通孔が形成され、前記肘掛け支持部材に対する前記肘掛けの上下方向における移動範囲は、前記移動範囲の全域に亘って左右方向から見た側面視で前記締結部材を覆う位置に設定されている。
【０００８】
本態様によれば、肘掛けの上下位置に関わらず、肘掛けによって締結部材を左右方向の外側から覆うことができる。これにより、締結部材の被操作端部（例えば、ボルトの頭部）が外部に露出するのを抑制し、体裁を向上させることができる。
また、肘掛け支持部材に肘掛けが支持された状態では、締結部材の被操作端部へのアクセスが不可能になるので、第三者による締結部材への不適切なアクセスを抑制できる。
【０００９】
上記態様の背凭れにおいて、前記肘掛け支持部材は、左右方向の外側を向く外側面上で前記挿通孔が開口するベース部と、前記ベース部に対して左右方向の外側に配設された支持部材側係合部と、を備え、前記肘掛けは、前記肘掛け支持部材に対して上下方向に移動可能に、前記支持部材側係合部に係合される肘掛け側係合部と、前記肘掛け側係合部に対して左右方向の外側に位置するとともに、肘乗せ部を下方から支持する肘掛けベースと、を備え、前記締結部材は、前記肘掛けベースによって左右方向の外側から覆われていてもよい。
本態様によれば、ベース部及び支持部材側係合部、並びに肘掛けベース及び肘掛け側係合部がそれぞれ左右方向に並ぶので、肘掛けベースのうち、上下方向に延びる部分の前後方向の幅を縮小できる。これにより、体裁を向上させることができる。
【００１０】
上記態様の背凭れにおいて、前記支持部材側係合部及び前記肘掛け側係合部のうち、第１係合部は、上下方向に延びるとともに、開口部の幅が底部の幅よりも狭い蟻溝状に形成され、前記支持部材側係合部及び前記肘掛け側係合部のうち、第２係合部は、前記第１係合部に前後方向及び左右方向で係合していてもよい。
本態様によれば、肘掛け側係合部が蟻溝状の支持部材側係合部に前後方向及び左右方向で係合することで、肘掛け側係合部に対して肘掛けを安定して昇降させることができる。
【００１１】
上記態様の背凭れにおいて、前記肘掛け支持部材は、前記ベース部及び前記支持部材側係合部とは別体で設けられるとともに、前記支持部材側係合部に対して左右方向の内側で、前記締結部材を左右方向の外側から覆う遮蔽部材を備えていてもよい。
本態様によれば、遮蔽部材により締結部材を覆うことで、締結部材の被操作端部が外部に露出するのをより確実に抑制できる。しかも、締結部材と肘掛け側係合部との間に遮蔽部材が配置されるので、肘掛けの昇降時において肘掛け側係合部と締結部材との接触を抑制できる。
【００１２】
上記態様の背凭れにおいて、前記遮蔽部材には、上下方向に延びる連通溝と、前記連通溝から前後方向に延びるとともに、上下方向に間隔をあけて形成された複数の係合溝と、が形成され、前記肘掛けは、前記係合溝内に位置するロック位置と、前記係合溝から退避して前記連通溝に位置する退避位置と、の間を移動する係合ピンを備えていてもよい。
本態様によれば、係合ピンがロック位置及び退避位置の間を進退することで、肘掛けの昇降動作や、肘掛け支持部材に対する肘掛けの上下方向での位置決めを安定して行うことができる。
また、締結部材を覆う遮蔽部材自体に連通溝及び係合溝を形成することで、遮蔽部材に対して前後方向又は上下方向でずれた位置に連通溝や係合溝を形成する場合に比べて、肘掛けベースの小型化を図り、体裁を向上させることができる。また、設計自由度の向上を図ることができる。
【００１３】
上記態様の背凭れにおいて、前記係合溝は、前記連通溝に対して前後方向の第１側に位置し、前記遮蔽部材には、前記連通溝内に連通するとともに、前後方向の第２側に延びる組付溝が形成され、前記係合ピンは、前記退避位置に対して前後方向の前記第２側に位置する組付位置に移動可能であってもよい。
本態様によれば、係合ピンを組付位置に位置させた状態で、係合ピンを組付溝内に進入させ、その後係合ピンを退避位置に移動させる。これにより、肘掛けを肘掛け支持部材に簡単に組み付けることができる。
【００１４】
本発明の一態様に係る椅子は、上記各態様の背凭れを備えている。
本態様によれば、意匠性が高く、信頼性の高い椅子を提供できる。
【発明の効果】
【００１５】
上記各態様によれば、体裁を向上させた上で、締結部材の被操作端部への不適切なアクセスを抑制できる。
【図面の簡単な説明】
【００１６】
【図１】椅子を左前方から見た斜視図である。
【図２】椅子の正面図である。
【図３】肘掛けの周辺を示す椅子の左側面図である。
【図４】背凭れの一部を分解して右前方から見た斜視図である。
【図５】背凭れの分解斜視図である。
【図６】図３のＶＩ−ＶＩ線に沿う断面図である。
【図７】図６のＶＩＩ−ＶＩＩ線に沿う断面図である。
【図８】遮蔽部材を取り外した状態を示す背凭れの左側面図である。
【図９】図６のＩＸ−ＩＸ線に沿う断面図である。
【図１０】図６のＸ−Ｘ線に沿う断面図である。
【図１１】図６のＸＩ−ＸＩ線に沿う断面図である。
【図１２】肘掛けの動作方法を説明するための説明図であって、図１１に対応する断面図である。
【図１３】肘掛けの動作方法を説明するための説明図であって、図９に対応する断面図である。
【図１４】肘掛けの動作方法を説明するための説明図であって、図９に対応する断面図である。
【図１５】肘掛けが最上端位置にある場合を示す図３に相当する左側面図である。
【図１６】肘掛けが最上端位置にある場合を示す図６に相当する断面図である。
【図１７】肘掛けの組み付け方法を説明するための説明図であって、図９に対応する断面図である。
【発明を実施するための形態】
【００１７】
次に、本発明の実施形態を図面に基づいて説明する。
［椅子］
図１は、椅子１を左前方から見た斜視図である。図２は、椅子１の正面図である。図３は、肘掛け４の周辺を示す椅子１の左側面図である。
図１〜図３に示すように、椅子１は、支持構造体２と、座３と、背凭れ４と、を有している。以下の説明において、前後上下左右等の向きは、椅子１に正規姿勢で着座した人（着座者）の向きと同一とする。この場合、図中における矢印ＵＰは上方を示し、矢印ＦＲは前方を示し、ＬＨは左方を示している。また、以下の説明において、前後方向、上下方向及び左右方向において、椅子１の中心から離間する側を外側といい、椅子１の中心に向かう側を内側という場合がある。
【００１８】
＜支持構造体＞
図１、図２に示すように、支持構造体２は、脚部１１と、支基１２と、を備えている。
脚部１１は、多岐脚１３と、脚柱１４と、を備えている。
多岐脚１３の各脚部には、床面上を走行可能なキャスタ１５が取り付けられている。
【００１９】
脚柱１４は、多岐脚１３の中央部から上方に立設されている。脚柱１４には、椅子１の昇降機構であるガススプリング１６が内蔵されている。ガススプリング１６は、例えば脚柱１４内に設けられた外筒（不図示）に対して内筒１６ａが昇降かつ相対回転可能に支持された構成である。
【００２０】
支基１２は、脚柱１４（内筒１６ａ）の上端部に接続されている。支基１２は、座３を下方から支持するとともに、背凭れ４を傾動可能に支持する。なお、支基１２には、ガススプリング１６を操作する操作部（不図示）等が搭載されている。
【００２１】
座３は、支基１２の上方に配置されている。座３は、着座者の臀部等を下方から支持する。
【００２２】
＜背凭れ＞
背凭れ４は、支基１２の後端部に傾動可能に連結されている。なお、背凭れ４は、支基１２に対して傾動不能に構成されていてもよい。
【００２３】
図４は、背凭れ４の一部を分解して左前方から見た斜視図である。
図４に示すように、背凭れ４は、背凭れ本体３１と、肘掛け支持部材３２と、肘掛け３３と、を備えている。
【００２４】
＜背凭れ本体＞
背凭れ本体３１は、椅子１に着座した着座者の腰部や背部等を後方から支持する。背凭れ本体３１は、背凭れフレーム４１と、面材４２と、を備えている。
【００２５】
背凭れフレーム４１は、左右方向から見た側面視でＬ字状に形成されている。背凭れフレーム４１は、支基１２の後端部から座３の後方を回り込んで上方に延在している。背凭れフレーム４１は、支基接続部４５と、背枠４６と、を備えている。
支基接続部４５は、支基１２に内蔵された傾動機構（不図示）等を介して支基１２に連結されている。
【００２６】
背枠４６は、前後方向から見た正面視で矩形枠状に形成されている。具体的に、背枠４６は、下枠部４７と、一対の縦枠部４８と、上枠部４９と、を備えている。
下枠部４７は、支基接続部４５の上端部に接続されている。下枠部４７は、左右方向に延在している。
【００２７】
縦枠部４８は、下枠部４７の左右両端部からそれぞれ上方に延在している。縦枠部４８は、例えば下部において前方に凸の円弧状に湾曲し、上部において後方に凸の円弧状に湾曲しながら延在している。
上枠部４９は、縦枠部４８の上端部同士の間を架け渡している。本実施形態の上枠部４９は、各縦枠部４８の上端部から後方に延在した後、左右方向に延在している。
【００２８】
図１、図２に示すように、面材４２は、背枠４６における下枠部４７及び縦枠部４８間に架け渡されている。面材４２は、外周縁に設けられた縁材（不図示）が下枠部４７及び縦枠部４８に組み付けられることで、背枠４６の開口部を前方から覆っている。面材４２は、例えばメッシュや布等の膜状の部材により弾性変形可能に構成されている。なお、面材４２の上端縁は、縁材を介して上枠部４９に組み付けられていてもよい。
【００２９】
図５は、背凭れ４の分解斜視図である。
図５に示すように、上述した縦枠部４８の下部には、取付台座５０が形成されている。取付台座５０は、縦枠部４８の外側面（左右方向の外側を向く側面）が左右方向の内側に窪んで形成されている。なお、取付台座５０は、縦枠部４８の外側面に対して面一若しくは左右方向の外側に突出していてもよい。
【００３０】
取付台座５０の底面には、左右方向の外側に向けて開口する位置決め凹部５１が形成されている。位置決め凹部５１は、上下方向に間隔をあけて複数（例えば、２つ）形成されている。但し、位置決め凹部５１の数や形状等は適宜変更が可能である。
【００３１】
図６は、図３のＶＩ−ＶＩ線に沿う断面図である。図７は、図６のＶＩＩ−ＶＩＩ線に沿う断面図である。
図６、図７に示すように、取付台座５０の底面上において、各位置決め凹部５１に対して上方に位置する部分には、ボルト挿通孔５２が開口している。ボルト挿通孔５２における左右方向の内側端部は、縦枠部４８内で終端している。すなわち、ボルト挿通孔５２は、縦枠部４８の内側面上には開口していない。但し、ボルト挿通孔５２は、縦枠部４８を貫通していてもよい。
【００３２】
図６に示すように、縦枠部４８の前面において、ボルト挿通孔５２における左右方向の内側端部と正面視で重なる部分には、ボルト挿通孔５２に連通するナット挿通孔５５が形成されている。ナット挿通孔５５は、前方のみに向けて開口している。すなわち、ナット挿通孔５５は、左右方向の内側及び上下両側が縦枠部４８により囲まれている。ボルト挿通孔５２内には、ナット挿通孔５５を通じてナット５８を挿入可能とされている。なお、ナット挿通孔５５は、上述した面材４２に前方から覆われる。
【００３３】
＜肘掛け支持部材＞
図５に示すように、肘掛け支持部材３２は、縦枠部４８の下部に組み付けられる。肘掛け支持部材３２は、ブラケット６０と、遮蔽部材６１と、カバープレート６２と、を備えている。なお、肘掛け支持部材３２及び肘掛け３３は、左右対称の構成とされている。したがって、以下の説明では、左側の肘掛け支持部材３２及び肘掛け３３を例にして説明する。
【００３４】
＜ブラケット＞
ブラケット６０は、ベース部６６と、ブラケット係合部（支持部材側係合部、第１係合部）６７と、位置決め凸部６８と、が一体に形成された構成である。
ベース部６６は、上下方向を長手方向とする直方体状に形成されている。図７に示すように、ベース部６６は、左右方向の内側に向かうに従い前後方向の幅が漸次縮小している。図６に示すように、ベース部６６の上下両端面は、左右方向の内側に向かうに従い漸次下方に延在している。
【００３５】
図８は、遮蔽部材６１を取り外した状態を示す背凭れ４の左側面図である。
図７、図８に示すように、ベース部６６の外側面（左右方向の外側（左側）を向く面）上には、遮蔽部材収容部７０が開口している。遮蔽部材収容部７０は、ベース部６６の外側面に対して左右方向の内側に窪んでいる。遮蔽部材収容部７０の底面には、適宜肉抜きが施されている。
【００３６】
ベース部６６のうち、遮蔽部材収容部７０内に位置する部分には、遮蔽部材収容部７０を左右方向に貫通するボルト挿通孔７１が形成されている。ボルト挿通孔７１は、軸部収容部７１ａと、頭部収容部７１ｂと、を有している。
軸部収容部７１ａは、ベース部６６の内側面（左右方向の内側（右側）を向く面）上で開口している。
頭部収容部７１ｂは、軸部収容部７１ａに対して左右方向の外側に連なっている。頭部収容部７１ｂは、軸部収容部７１ａに対して拡径されている。頭部収容部７１ｂは、遮蔽部材収容部７０の底面上で開口している。
遮蔽部材収容部７０内における上部には、プレート締結孔７３が形成されている。プレート締結孔７３は、遮蔽部材収容部７０の底面上で開口している。
【００３７】
図６、図８に示すように、ベース部６６の上端部には、カバー収容部７５が形成されている。カバー収容部７５は、ベース部６６の上端面に対して下方に窪んで形成されている。図８に示すように、上述した遮蔽部材収容部７０及びカバー収容部７５は、ピン挿入溝７６を通じて連通している。ピン挿入溝７６は、遮蔽部材収容部７０に対して上部後端で連通するとともに、カバー収容部７５に対して左右方向の内側かつ後端部で連通している。
【００３８】
図７、図８に示すように、ブラケット係合部６７は、ベース部６６に対して左右方向の外側に連なっている。ブラケット係合部６７は、ブラケット６０を上下方向に貫通するとともに、左右方向の外側に向けて開口する溝状に形成されている。本実施形態のブラケット係合部６７は、開口部の幅（前後方向の幅）が底部の幅よりも狭い蟻溝状に形成されている。具体的に、ブラケット係合部６７は、ガイド壁部７７と、内向壁部７８と、を有している。
【００３９】
ガイド壁部７７は、ベース部６６における前後両端部から、それぞれ左右方向の外側に突出している。ガイド壁部７７における前後方向の外側を向く面は、ベース部６６に滑らかに連なっている。
内向壁部７８は、各ガイド壁部７７における左右方向の外側端部から、それぞれ前後方向の内側に突出している。内向壁部７８における外側面は、前後方向の内側に向かうに従い左右方向の内側に延びる傾斜面とされている。なお、ブラケット係合部６７は、左右方向の外側に向かうに従い前後方向の幅が漸次縮小するテーパ状に形成されていてもよい。
【００４０】
図５、図６に示すように、位置決め凸部６８は、ベース部６６から左右方向の内側に突出している。本実施形態において、位置決め凸部６８は、ベース部６６における各ボルト挿通孔７１に対して下方に位置する部分に形成されている。各位置決め凸部６８は、上述した縦枠部４８の位置決め凹部５１内に収容される。すなわち、本実施形態のブラケット６０は、図６、図７に示すように、縦枠部４８の位置決め凹部５１内に対して位置決め凸部６８を左右方向の外側から差し込んだ状態で、ボルト挿通孔７１を通じて左右方向の外側からボルト（締結部材）８０が挿通される。ボルト８０は、ボルト挿通孔７１，５２を通過した後、ナット挿通孔５５内でナット５８に螺着される。これにより、ブラケット６０が背枠４６に固定される。なお、ボルト８０の頭部は、ボルト挿通孔７１の頭部収容部７１ｂ内に収容されることで、遮蔽部材収容部７０の底面から突出しないように構成されている。
【００４１】
＜遮蔽部材＞
図９は、図６のＩＸ−ＩＸ線に沿う断面図である。
図９に示すように、遮蔽部材６１は、左右方向を厚さ方向とする板状に形成されている。遮蔽部材６１は、遮蔽部材収容部７０内に収容されている。これにより、上述したボルト挿通孔７１は、遮蔽部材６１によって左右方向の外側から覆われている。なお、遮蔽部材６１の外側面は、ベース部６６の外側面に対して面一に配置されることが好ましい。但し、遮蔽部材６１は、少なくともボルト８０（ボルト挿通孔７１）を左右方向の外側から覆う構成であれば、ベース部６６の外側面に対して左右方向の外側又は内側に配置されていてもよい。
【００４２】
遮蔽部材６１には、外側面上で開口するガイド溝８２が形成されている。ガイド溝８２は、連通溝８３と、係合溝８４と、を備えている。
連通溝８３は、遮蔽部材６１において、上下方向に延在している。図示の例において、連通溝８３は、ブラケット６０の延在方向に沿って上方に向かうに従い漸次前方に傾斜して延在している。
係合溝８４は、連通溝８３から前方（第１側）に延在している。係合溝８４は、上下方向に間隔をあけて複数形成されている。
【００４３】
遮蔽部材６１の上端部には、組付溝８５が形成されている。組付溝８５は、遮蔽部材６１のうち、連通溝８３の後方に位置する部分から後方（第２側）に延在している。組付溝８５は、連通溝８３内と上述したピン挿入溝７６内とを連通させている。なお、係合溝８４が連通溝８３に対して後方に延在し、組付溝８５が連通溝８３に対して前方に延在していてもよい。また、係合溝８４及び組付溝８５が連通溝８３に対して同一方向に延在していてもよい。
【００４４】
図１０は、図６のＸ−Ｘ線に沿う断面図である。
図９、図１０に示すように、遮蔽部材６１のうち、ガイド溝８２より上方に位置する部分には、遮蔽部材６１を左右方向に貫通する遮蔽部材貫通孔８８が形成されている。遮蔽部材貫通孔８８は、軸部収容部８８ａと、頭部収容部８８ｂと、を有している。
軸部収容部８８ａは、遮蔽部材６１の内側面上で開口している。
頭部収容部８８ｂは、軸部収容部８８ａに対して左右方向の外側に連なっている。頭部収容部８８ｂは、軸部収容部８８ａに対して拡径されている。頭部収容部８８ｂは、遮蔽部材６１の外側面上で開口している。なお、遮蔽部材６１における遮蔽部材貫通孔８８の数や位置は適宜変更が可能である。
【００４５】
遮蔽部材６１には、遮蔽部材貫通孔８８を通して左右方向の外側からビス８９が挿通される。ビス８９は、プレート締結孔７３に螺着される。これにより、遮蔽部材６１がブラケット６０に固定される。なお、ブラケット６０に対する遮蔽部材６１の組み付け方法は、締結以外に嵌合や接着等であってもよい。
【００４６】
＜カバープレート＞
図６、図９に示すように、カバープレート６２は、カバー体９０と、栓部９１と、を有している。
カバー体９０は、カバー収容部７５内に嵌め込まれている。カバー体９０の表面は、ベース部６６の上面と面一に配置されることが好ましい。
栓部９１は、カバー体９０における左右方向の外側端部から下方に突出している。栓部９１は、上述したピン挿入溝７６内に嵌め込まれている。このように、カバープレート６２によってピン挿入溝７６が上方から閉塞されている。
【００４７】
＜肘掛け＞
図１、図３に示すように、肘掛け３３は、背凭れ本体３１に対して左右両側に肘掛け支持部材３２を介して取り付けられている。本実施形態の肘掛け３３は、肘掛け支持部材３２に対して上下方向に移動可能に、肘掛け支持部材３２に支持されている。
【００４８】
図１１は、図６のＸＩ−ＸＩ線に沿う断面図である。
図３、図１１に示すように、肘掛け３３は、肘掛けベース１００と、肘乗せ部１０１と、肘掛け側係合部（第２係合部）１０２と、操作機構１０３と、を主に備えている。
肘掛けベース１００は、側面視でＬ字状に形成されている。肘掛けベース１００は、肘掛け支柱１１０と、肘乗せ取付部１１１と、が一体に形成された構成である。
【００４９】
図７に示すように、肘掛け支柱１１０は、断面視で左右方向に扁平した長円形状で、上下方向に延びる筒状に形成されている。具体的に、図９に示すように、肘掛け支柱１１０は、左右方向から見た側面視で肘掛け支持部材３２に重なり合う位置において、肘掛け支持部材３２に沿って上下方向に延在している。図示の例において、肘掛け支柱１１０は、ブラケット６０の延在方向に沿って上方に向かうに従い前方に傾斜している。肘掛け支柱１１０における前後方向の最大幅は、上述した肘掛け支持部材３２における前後方向の最大幅よりも広くなっている。但し、肘掛け支柱１１０は、少なくとも一部が肘掛け支持部材３２に重なり合うように配置されていれば、肘掛け支柱１１０の最大幅が肘掛け支柱１１０の最大幅よりも狭くてもよい。
【００５０】
図１１に示すように、肘乗せ取付部１１１は、肘掛け支柱１１０の上端部から前方に片持ちで延在している。図示の例において、肘乗せ取付部１１１は、前方に向かうに従い上方に向けて傾斜して延在している。肘乗せ取付部１１１は、上方に開口する箱型に形成されている。肘乗せ取付部１１１は、後端部において肘掛け支柱１１０内に連通している。肘乗せ取付部１１１における底壁の後部には、レバー露出孔１１４が形成されている。レバー露出孔１１４は、前後方向に延びるスリット状に形成されている。なお、肘乗せ取付部１１１の底壁からは、適宜リブが立設されている。また、肘掛け３３の側面視形状は、肘掛け支柱１１０によって肘乗せ取付部１１１を支持する構成であれば、Ｌ字状に限られない。
【００５１】
図３、図１１に示すように、肘乗せ部１０１は、肘乗せ取付部１１１の上方に配置されている。肘乗せ部１０１は、例えばインナーシェル、パッド材及び表皮材等が積層されて形成されている。肘乗せ部１０１の上面は、着座者の肘を支持する肘置き面を構成している。肘乗せ部１０１は、例えば肘乗せ取付部１１１の外周壁に嵌め込まれた状態で、リブ等によって下方から支持されている。
【００５２】
図７に示すように、肘掛け側係合部１０２は、肘掛け支柱１１０から左右方向の内側に突出している。肘掛け側係合部１０２は、上述したブラケット係合部６７を補形する断面視でＴ字状に形成されている。具体的に、肘掛け側係合部１０２は、ガイドレール１２０と、フランジ部１２１と、を有している。本実施形態において、肘掛け側係合部１０２は、肘掛け支柱１１０における上下方向の全長に亘って形成されている。但し、肘掛け支柱１１０に対する肘掛け側係合部１０２の上下方向の長さは適宜変更が可能である。
【００５３】
ガイドレール１２０は、肘掛け支柱１１０から左右方向の内側に突出している。ガイドレール１２０における前後方向の幅は、上述したブラケット係合部６７における各内向壁部７８の間の間隔よりも狭くなっている。
フランジ部１２１は、ガイドレール１２０における左右方向の内側端部から前後両側に張り出している。なお、図６に示すように、肘掛け支柱１１０の下端部には、肘掛け支柱１１０の下端開口部及び肘掛け側係合部１０２を下方から覆うキャップ１２５が着脱可能に設けられている。
【００５４】
本実施形態の肘掛け３３は、図７に示すように、ブラケット係合部６７の上端開口部を通じて肘掛け側係合部１０２を上方から挿入することで、肘掛け支持部材３２に組み付けられる。すると、肘掛け側係合部１０２のうち、ガイドレール１２０が内向壁部７８に前後方向で係合し、フランジ部１２１が内向壁部７８に左右方向の内側から係合する。これにより、肘掛け側係合部１０２は、ブラケット係合部６７に対して前後両側及び左右方向の外側への移動が規制された状態で、ブラケット係合部６７に対して上下方向に移動可能に支持される。
【００５５】
図１１に示すように、操作機構１０３は、レバー１３０と、リンク部材１３１と、を備えている。
レバー１３０は、肘乗せ取付部１１１内に後端部において、前後方向に延在している。レバー１３０は、支持部１３５と、操作部１３６と、連結アーム１３７と、を備えている。
支持部１３５には、左右方向の両側に突出する回動ピン１３８が配設されている。回動ピン１３８は、肘乗せ取付部１１１内の後端部において、左右方向に延びる軸線Ｏ１回りに回動可能に支持されている。なお、回動ピン１３８は、支持部１３５に一体で形成されていても、支持部１３５とは別体で形成されていてもよい。
【００５６】
操作部１３６は、支持部１３５から前方に向かうに従い上方に延在している。操作部１３６の前端部は、レバー露出孔１１４を通じて肘乗せ取付部１１１の下面から下方に突出している。
連結アーム１３７は、支持部１３５から後方に向かうに従い下方に延在している。連結アーム１３７の後端部は、肘掛け支柱１１０内に進入している。連結アーム１３７の後端部には、切欠き部１３７ａが形成されている。切欠き部１３７ａは、連結アーム１３７の延在方向に沿って延在するとともに、連結アーム１３７の後端面で開口している。
【００５７】
リンク部材１３１は、リンクベース１４０と、連結ピン１４１と、係合ピン１４２と、付勢部１４３と、を備えている。
リンクベース１４０は、側面視で菱形状に形成されている。リンクベース１４０は、長辺側の対角線を上下方向に沿わせた状態で、肘掛け支柱１１０内に収容されている。なお、リンクベース１４０の前後両端部は、肘掛け支柱１１０の内面のうち、前後方向の内側を向く部分に当接している。
【００５８】
連結ピン１４１は、リンクベース１４０の上端部において、左右方向に延在している。連結ピン１４１は、上述した切欠き部１３７ａ内に収容されている。すなわち、リンク部材１３１は、連結ピン１４１を介してレバー１３０に係合している。リンク部材１３１は、レバー１３０の軸線Ｏ１回りの回動に伴い、連結ピン１４１が切欠き部１３７ａ内を移動することで、左右方向に沿う軸線Ｏ２回りに揺動可能に構成されている。
【００５９】
係合ピン１４２は、リンクベース１４０の下端部に設けられている。係合ピン１４２は、左右方向に延在している。係合ピン１４２における左右方向の内側端部は、肘掛け側係合部１０２に形成されたピンガイド孔１２６を通じて上述したガイド溝８２内に収容されている。ピンガイド孔１２６は、肘掛け側係合部１０２の下部において、肘掛け側係合部１０２を左右方向に貫通している。ピンガイド孔１２６は、上述した軸線Ｏ２を曲率中心とした下方に向けて凸の円弧状に形成されている。
【００６０】
図９に示すように、係合ピン１４２は、リンク部材１３１の揺動に伴い、各係合溝８４のうち、何れかの係合溝８４内に選択的に係合するロック位置と、係合溝８４から退避して連通溝８３内に位置する退避位置（図１３参照）と、に移動する。すなわち、係合ピン１４２は、ロック位置において、係合溝８４内に係合することで、肘掛け支持部材３２に対する肘掛け３３の上下方向の移動を規制する。一方、係合ピン１４２は、退避位置において、係合溝８４内から連通溝８３内に退避することで、肘掛け支持部材３２に対する肘掛け３３の上下方向の移動を許容する。
【００６１】
図１１に示すように、付勢部１４３は、リンクベース１４０から一体で延びる板ばね状に形成されている。具体的に、付勢部１４３は、リンクベース１４０から後方に向かうに従い漸次下方に傾斜して延在している。付勢部１４３の後端部は、肘掛け支柱１１０の内面に近接又は当接している。付勢部１４３は、リンクベース１４０を介して係合ピン１４２を前方に付勢している。これにより、係合ピン１４２が上述したロック位置に保持される。なお、付勢部１４３は、リンクベース１４０と別体で設けられていてもよい。
【００６２】
［肘掛けの動作方法］
次に、上述した肘掛け３３の動作方法について説明する。以下の説明では、着座者が椅子１に着座した状態で、肘掛け３３が最下端位置にある状態から最上端位置へ移動させる場合を例にして説明する。図１２は、肘掛け３３の動作方法を説明するための説明図であって、図１１に対応する断面図である。
図１２に示すように、肘掛け３３を上昇させるには、例えば肘乗せ部１０１とともに操作部１３６を把持して、操作部１３６を引き上げる。すると、レバー１３０が軸線Ｏ１回りの一方側に回動することで、リンク部材１３１が付勢部１４３の付勢力に抗して軸線Ｏ２回りの一方側に揺動する。すると、係合ピン１４２がピンガイド孔１２６内を後方に移動する。
【００６３】
図１３は、肘掛け３３の動作方法を説明するための説明図であって、図９に対応する断面図である。
図１３に示すように、係合ピン１４２は、操作部１３６の操作に伴い、後方に移動することで、係合溝８４から連通溝８３内に退避する。これにより、係合ピン１４２がロック位置から退避位置となる。
【００６４】
図１４は、肘掛け３３の動作方法を説明するための説明図であって、図９に対応する断面図である。
図１４に示すように、係合ピン１４２を退避位置まで移動させた後、操作部１３６を把持した状態で、肘掛け３３を引き上げる。すると、係合ピン１４２が連通溝８３内を上方に移動する。これに伴い、肘掛け側係合部１０２がブラケット係合部６７内を上方に移動することで、肘掛け支持部材３２に対して肘掛け３３が上昇する。そして、係合ピン１４２が連通溝８３内の上端縁に近接又は当接する位置まで到達した時点（図１４における実線Ｐ１参照）で、操作部１３６の把持を解除する。
【００６５】
すると、図１１、図１２に示すように、リンク部材１３１が付勢部１４３の付勢力によって軸線Ｏ２回りの他方側に揺動することで、係合ピン１４２がピンガイド孔１２６内を前方に移動する。これにより、図１４に示すように、係合ピン１４２が各係合溝８４のうち、最上部の係合溝８４内に進入する（図１４における鎖線Ｐ２参照）。その結果、係合ピン１４２が再びロック位置となる。
【００６６】
図１５は、肘掛け３３が最上端位置にある場合を示す図３に相当する左側面図である。
図１５に示すように、係合ピン１４２がロック位置となることで、肘掛け支持部材３２に対する肘掛け３３の上下動が規制される。その結果、肘掛け３３が最上端位置で保持される。
【００６７】
図１６は、肘掛け３３が最上端位置にある場合を示す図６に相当する断面図である。
ここで、図６、図１６に示すように、本実施形態の椅子１では、肘掛け支持部材３２に対する肘掛け３３の上下方向における移動範囲は、移動範囲の全域に亘って左右方向から見た側面視でボルト８０（ボルト挿通孔７１）を覆う位置に設定されている。すなわち、肘掛け３３は、最下端位置と最上端位置との間の移動範囲全域に亘り、肘掛け支柱１１０の上端部が上方に位置するボルト８０（上部ボルト８０Ａ）よりも上方に位置し、肘掛け支柱１１０の下端部が下方に位置するボルト８０（下部ボルト８０Ｂ）よりも下方に位置している。
【００６８】
なお、本実施形態では、肘掛け支柱１１０が左右方向から見て肘掛け支持部材３２に重なり合う構成において、肘掛け支柱１１０によってボルト挿通孔７１が覆われる構成について説明したが、この構成のみに限られない。ボルト挿通孔７１は、肘掛け３３のうち、肘乗せ取付部１１１やキャップ１２５、肘掛け側係合部１０２、その他肘掛け３３を構成する何れかの部分により覆われていればよい。
【００６９】
［肘掛けの組み付け方法］
次に、上述した肘掛け３３の組み付け方法について説明する。
図５に示すように、まず背枠４６に対してブラケット６０を組み付ける。具体的には、ブラケット６０の位置決め凸部６８を縦枠部４８の位置決め凹部５１内に左右方向の外側から差し込む。次いで、背枠４６のナット挿通孔５５を通してボルト挿通孔５２内にナット５８を進入させる。そして、ボルト挿通孔７１を通じて左右方向の外側からボルト８０を挿通する。ボルト８０は、ボルト挿通孔７１，５２を通過した後、ナット挿通孔５５内でナット５８に螺着される。これにより、ブラケット６０が背枠４６に固定される。
【００７０】
次に、ブラケット６０に遮蔽部材６１を組み付ける。具体的には、ブラケット６０の遮蔽部材収容部７０内に遮蔽部材６１を左右方向の外側から進入させる。その後、遮蔽部材貫通孔８８を通じてビス８９をプレート締結孔７３に螺着する。これにより、ボルト８０が遮蔽部材６１により左右方向の外側から覆われた状態で、ブラケット６０に遮蔽部材６１が組み付けられる。
【００７１】
図１７は、肘掛け３３の組み付け方法を説明するための説明図であって、図９に対応する断面図である。
続いて、図１７に示すように、肘掛け支持部材３２に肘掛け３３を組み付ける。具体的には、肘乗せ部１０１とともに操作部１３６を把持する。肘掛け３３を肘掛け支持部材３２に組み付ける前の状態において、係合ピン１４２は、ピンガイド孔１２６内を退避位置よりも後方の組付位置に移動可能である。
【００７２】
係合ピン１４２が組付位置にある状態で、肘掛け３３を肘掛け支持部材３２に対して上方から組み付ける。具体的には、肘掛け側係合部１０２をブラケット係合部６７内に上方から挿入するとともに、係合ピン１４２をピン挿入溝７６内に上方から進入させる。係合ピン１４２がピン挿入溝７６の下端縁に近接又は当接する位置まで、肘掛け３３を下降させた後、操作部１３６の操作部１３６の把持を解除する。すると、リンク部材１３１が付勢部１４３の付勢力によって軸線Ｏ２回りに揺動することで、係合ピン１４２がピンガイド孔１２６内を前方に移動する。これにより、係合ピン１４２が組付溝８５を通じてガイド溝８２内に進入する。
【００７３】
その後、カバー収容部７５内にカバープレート６２を組み付けることで、ピン挿入溝７６を閉塞する。
以上により、肘掛け支持部材３２を介して背凭れ本体３１に肘掛け３３が組み付けられる。
【００７４】
このように、本実施形態では、肘掛け支持部材３２に対する肘掛け３３の上下方向における移動範囲が、移動範囲の全域に亘って左右方向から見た側面視でボルト８０を覆う位置に設定されている構成とした。
この構成によれば、肘掛け３３の上下位置に関わらず、肘掛け３３によってボルト８０を左右方向の外側から覆うことができる。これにより、ボルト８０の頭部が外部に露出するのを抑制し、体裁を向上させることができる。
また、肘掛け支持部材３２に肘掛け３３が支持された状態では、ボルト８０の頭部（被操作端部）へのアクセスが不可能になるので、第三者によるボルト８０への不適切なアクセスを抑制できる。
【００７５】
本実施形態では、ベース部６６に対して左右方向の外側に、肘掛け側係合部１０２を上下動可能に支持するブラケット係合部６７が配設される構成とした。
この構成によれば、ベース部６６及びブラケット係合部６７、並びに肘掛け支柱１１０及び肘掛け側係合部１０２がそれぞれ左右方向に並ぶ。そのため、肘掛け３３のうち、上下方向に延びる部分（本実施形態では肘掛け支柱１１０及び肘掛け側係合部１０２）の前後方向の幅を縮小できる。これにより、体裁を向上させることができる。
【００７６】
本実施形態では、肘掛け側係合部１０２が蟻溝状のブラケット係合部６７に前後方向及び左右方向で係合することで、肘掛け側係合部１０２に対して肘掛け３３を安定して昇降させることができる。
【００７７】
本実施形態では、ブラケット係合部６７に対して左右方向の内側に、ボルト８０を左右方向の外側から覆う遮蔽部材６１が、ブラケット６０とは別体で設けられる構成とした。
この構成によれば、遮蔽部材６１によりボルト８０を覆うことで、ボルト８０の頭部が外部に露出するのをより確実に抑制できる。しかも、ボルト８０と肘掛け側係合部１０２との間に遮蔽部材６１が配置されるので、肘掛け３３の昇降時において肘掛け側係合部１０２とボルト８０との接触を抑制できる。
【００７８】
本実施形態では、遮蔽部材６１の連通溝８３及び係合溝８４の間に進退可能な係合ピン１４２を備える構成とした。
この構成によれば、係合ピン１４２がロック位置及び退避位置の間を進退することで、肘掛け３３の昇降動作や、肘掛け支持部材３２に対する肘掛け３３の上下方向での位置決めを安定して行うことができる。
また、本実施形態では、ボルト８０を覆う遮蔽部材６１自体に連通溝８３及び係合溝８４を形成することで、遮蔽部材６１に対して前後方向又は上下方向でずれた位置に連通溝や係合溝を形成する場合に比べて、肘掛け３３のうち、上下方向に延びる部分の小型化を図り、体裁を向上させることができる。また、設計自由度の向上を図ることができる。
【００７９】
本実施形態では、連通溝８３に連通するとともに、連通溝８３に対して係合溝８４とは反対側に延びる組付溝８５が遮蔽部材６１に形成された構成とした。
この構成によれば、係合ピン１４２を組付位置に位置させた状態で、係合ピン１４２を組付溝８５内に進入させ、その後係合ピン１４２を退避位置に移動させる。これにより、肘掛け３３を肘掛け支持部材３２に簡単に組み付けることができる。
【００８０】
本実施形態の椅子１は、上述した背凭れ４を備えているため、意匠性が高く、信頼性の高い椅子１を提供できる。
【００８１】
＜その他の変形例＞
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、ボルト８０を覆う遮蔽部材６１を備える構成について説明したが、遮蔽部材６１を有さない構成であってもよい。
上述した実施形態では、係合ピン１４２が係合溝８４内に係合することで、肘掛け側係合部１０２に対する肘掛け３３の上下動を規制する構成について説明したが、この構成のみに限られない。例えば、ブラケット係合部６７と肘掛け側係合部１０２との摩擦によって肘掛け側係合部１０２に対する肘掛け３３の上下動を規制する構成であってもよい。
上述した実施形態では、肘掛け３３に操作機構１０３が配設される構成について説明したが、この構成のみに限られない。例えば肘掛け支持部材３２に操作機構が配設されていてもよい。
【００８２】
上述した実施形態では、背凭れ本体３１に対して左右両側に肘掛け３３が配設された構成について説明したが、この構成のみに限られない。肘掛け３３は、背凭れ本体３１に対して左右方向における少なくとも第１側に配設されていればよい。
上述した実施形態では、ベース部６６及びブラケット係合部６７、並びに肘掛け支柱１１０及び肘掛け側係合部１０２がそれぞれ左右方向に並ぶ構成について説明したが、この構成のみに限られない。ベース部６６及びブラケット係合部６７同士、並びに肘掛け支柱１１０及び肘掛け側係合部１０２同士がそれぞれ前後方向に隣接していてもよい。
【００８３】
上述した実施形態では、ボルト８０が背枠４６に設けられたナット５８に螺着される構成について説明したが、この構成のみに限られない。ボルト８０は、背枠４６に直接螺着されていてもよい。
上述した実施形態では、蟻溝状のブラケット係合部６７に肘掛け側係合部１０２が係合する構成について説明したが、この構成のみに限られない。蟻溝状の肘掛け側係合部（第１係合部）にブラケット係合部（第２係合部）が係合してもよい。
上述した実施形態では、肘掛け３３が肘掛け支持部材３２に対して上方から組み付けられる構成について説明したが、この構成のみに限られない。肘掛け３３は、例えば肘掛け支持部材３２に対して左右方向の外側や下方から組み付けられる構成であってもよい。
上述した実施形態では、肘掛け支持部材３２や肘掛け支柱１１０が上方に向かうに従い前方に延在することで、肘掛け３３が肘掛け支持部材３２に対して上方に向かうに従い前方に移動する構成とした。但し、肘掛け３３は、肘掛け支持部材３２に対して上下方向に直線状に移動してもよい。すなわち、肘掛け３３は、少なくとも上下方向の成分をもって移動する構成であれば、左右方向や前後方向の成分をもっていてもよい。
【００８４】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８５】
１…椅子
４…背凭れ
３１…背凭れ本体
３２…肘掛け支持部材
６１…遮蔽部材
６６…ベース部
６７…ブラケット係合部（支持部材側係合部、第１係合部、第２係合部）
７１…ボルト挿通孔（挿通孔）
８３…連通溝
８４…係合溝
８５…組付溝
１００…肘掛けベース
１０１…肘乗せ部
１０２…肘掛け側係合部（第２係合部、第１係合部）
１４２…係合ピン
【図１】
2020069337.tif 000003
【図２】
2020069337.tif 000004
【図３】
2020069337.tif 000005
【図４】
2020069337.tif 000006
【図５】
2020069337.tif 000007
【図６】
2020069337.tif 000008
【図７】
2020069337.tif 000009
【図８】
2020069337.tif 000010
【図９】
2020069337.tif 000011
【図１０】
2020069337.tif 000012
【図１１】
2020069337.tif 000013
【図１２】
2020069337.tif 000014
【図１３】
2020069337.tif 000015
【図１４】
2020069337.tif 000016
【図１５】
2020069337.tif 000017
【図１６】
2020069337.tif 000018
【図１７】
2020069337.tif 000019